(57)【特許請求の範囲】
【請求項１】
高周波デジタル信号が入力される入力端子と、この入力端子に接続されるとともにＬバンドの周波数を通過させる第１の固定フィルタと、前記入力端子に接続されるとともにＶバンドの周波数を通過させる第２の固定フィルタと、前記第１の固定フィルタの出力が一方の端子に接続されるとともに他方の端子には前記第２の固定フィルタの出力が接続された第１の切替えスイッチと、この第１の切替えスイッチの共通端子が一方の入力に供給されるとともに他方の入力には第１の局部発振器の出力が第２の切替えスイッチを介して接続された第１の混合器と、この第１の混合器の出力が供給されるとともにＬバンドの周波数を通過させる第３の固定フィルタと、この第３の固定フィルタの出力が一方の入力に供給されるとともに他方の入力には第２の局部発振器の出力が接続された第２の混合器と、この第２の混合器の出力が供給される出力端子と、前記第１の局部発振器にループ接続された第１のＰＬＬ回路と、この第１のＰＬＬ回路にデータを供給する第１のデータ端子と、前記第２の局部発振器にループ接続された第２のＰＬＬ回路と、この第２のＰＬＬ回路にデータを供給する第２のデータ端子とを備え、前記第１の切替えスイッチが前記第１の固定フィルタの出力を選択したときには、前記第２の切替えスイッチをオフにして前記第１の混合器を増幅器として動作させるとともに、前記第２のデータ端子に入力されたデータに従って前記第２の局部発振器の発振周波数を制御して前記第３の固定フィルタから出力される信号を前記第２の混合器で選局するとともに予め定められた周波数に変換し、前記第１の切替えスイッチが前記第２の固定フィルタの出力を選択したときには、前記第２の切替えスイッチをオンにして、前記第１のデータ端子に入力されたデータに従って前記第１の局部発振器の発振周波数を制御して前記第１の混合器で前記Ｖバンドの周波数をＬバンドに変換するとともに選局し、前記第３の固定フィルタからの出力を前記第２の混合器で予め定められた周波数に変換する広帯域チューナ。
【請求項２】
第１の混合器と、第１の局部発振器と、第１のＰＬＬ回路と、第２の混合器と、第２の局部発振器と、第２のＰＬＬ回路と、第１の切替えスイッチと、第２の切替えスイッチとは１つのパッケージに集積化された請求項１に記載の広帯域チューナ。
【請求項３】
マイクロコンピュータを設け、このマイクロコンピュータの出力を第１のデータ端子と、第２のデータ端子と、第１の切替えスイッチと、第２の切替えスイッチに接続し、前記マイクロコンピュータの入力端子から前記各部が制御される請求項１に記載の広帯域チューナ。
【請求項４】
高周波デジタル信号が入力される入力端子と、この入力端子に接続されるとともにＬバンドの周波数を通過させる第１の固定フィルタと、前記入力端子に接続されるとともにＶバンドの周波数を通過させる第２の固定フィルタと、前記第１の固定フィルタの出力が一方の端子に接続されるとともに他方の端子には前記第２の固定フィルタの出力が接続された第１の切替えスイッチと、この第１の切替えスイッチの共通端子が一方の入力に供給されるとともに他方の入力には第１の局部発振器の出力が第２の切替えスイッチを介して接続された第１の混合器と、この第１の混合器の出力が供給されるとともにＬバンドの周波数を通過させる第３の固定フィルタと、この第３の固定フィルタの出力が一方の入力に供給されるとともに他方の入力には第２の局部発振器の出力が第１の９０度位相器を介して接続された第２の混合器と、前記第３の固定フィルタの出力が一方の入力に供給されるとともに他方の入力には前記第２の局部発振器の出力が直接接続された第３の混合器と、前記第２の混合器の出力と前記第３の混合器の出力との間に接続された第２の９０度位相器と、前記第３の混合器の出力に接続された第４の固定フィルタと、この第４の固定フィルタの出力が供給される出力端子と、前記第１の局部発振器にループ接続された第１のＰＬＬ回路と、この第１のＰＬＬ回路にデータを供給する第１のデータ端子と、前記第２の局部発振器にループ接続された第２のＰＬＬ回路と、この第２のＰＬＬ回路にデータを供給する第２のデータ端子とを備え、前記第１の切替えスイッチが前記第１の固定フィルタの出力を選択したときには、前記第２の切替えスイッチをオフにして前記第１の混合器を増幅器として動作させるとともに、前記第２のデータ端子に入力されたデータに従って前記第２の局部発振器の発振周波数を制御して前記第２の混合器と前記第３の混合器で選局するとともに予め定められた周波数に変換し、前記第１の切替えスイッチが前記第２の固定フィルタの出力を選択したときには、前記第２の切替えスイッチをオンにして、前記第１のデータ端子に入力されたデータに従って前記第１の局部発振器の発振周波数を制御して前記第１の混合器で前記Ｖバンドの周波数をＬバンドに変換するとともに選局し、前記第３の固定フィルタからの出力を前記第２の混合器と前記第３の混合器で予め定められた周波数に変換する広帯域チューナ。
【請求項５】
高周波デジタル信号が入力される入力端子と、この入力端子に接続されるとともにＬバンドの周波数を通過させる第１の固定フィルタと、前記入力端子に接続されるとともにＶバンドの周波数を通過させる第２の固定フィルタと、前記第１の固定フィルタの出力が一方の端子に接続されるとともに他方の端子には前記第２の固定フィルタの出力が接続された第１の切替えスイッチと、この第１の切替えスイッチの共通端子が一方の入力に供給されるとともに他方の入力には第１の局部発振器の出力が第２の切替えスイッチを介して接続された第１の混合器と、この第１の混合器の出力が供給されるとともにＬバンドの周波数を通過させる第３の固定フィルタと、この第３の固定フィルタの出力が一方の入力に供給されるとともに他方の入力には第２の局部発振器の出力が第１の９０度位相器を介して接続された第２の混合器と、この第２の混合器の出力が接続された第４の固定フィルタと、この第４の固定フィルタの出力が供給される第１の出力端子と、前記第３の固定フィルタの出力が一方の入力に供給されるとともに他方の入力には前記第２の局部発振器の出力が直接接続された第３の混合器と、前記第２の混合器の出力と前記第３の混合器の出力との間に接続された第２の９０度位相器と第３の切替えスイッチの直列接続体と、前記第３の混合器の出力に接続された第５の固定フィルタと、この第５の固定フィルタの出力が接続された第２の出力端子と、前記第１の局部発振器にループ接続された第１のＰＬＬ回路と、この第１のＰＬＬ回路にデータを供給する第１のデータ端子と、前記第２の局部発振器にループ接続された第２のＰＬＬ回路と、この第２のＰＬＬ回路にデータを供給する第２のデータ端子とを備え、前記第３の切替えスイッチをオフする第１の動作モードと、前記第３の切替えスイッチをオンする第２の動作モードとを有し、前記第１の切替えスイッチが前記第１の固定フィルタの出力を選択したときには、前記第２の切替えスイッチをオフにして前記第１の混合器を増幅器として動作させるとともに、前記第２のデータ端子に入力されたデータに従って前記第２の局部発振器の発振周波数を制御して前記第３の固定フィルタから出力される信号を前記第２の混合器と前記第３の混合器で選局するとともに予め定められた周波数に変換し、前記第１の切替えスイッチが前記第２の固定フィルタの出力を選択したときには、前記第２の切替えスイッチをオンにして、前記第１のデータ端子に入力されたデータに従って前記第１の局部発振器の発振周波数を制御して前記第１の混合器で前記Ｖバンドの周波数をＬバンドに変換するとともに選局し、前記第２の混合器と前記第３の混合器で予め定められた周波数に変換する広帯域チューナ。
【請求項６】
第４の固定フィルタと第５の固定フィルタとをローパスフィルタで形成するとともに、前記第５の固定フィルタと選択的に切替え可能なバンドパスフィルタを設け、第１の動作モードにおいては前記第５の固定フィルタを選択し、第２の動作モードにおいては前記バンドパスフィルタを選択する請求項５に記載の広帯域チューナ。
【請求項７】
第１の動作モードと第２の動作モードとは、ジャンパー抵抗の装着で切替える請求項５に記載の広帯域チューナ。
【請求項８】
少なくとも混合器と発振器とは平衡回路で形成されるとともに集積回路化された請求項５に記載の広帯域チューナ。
【請求項９】
少なくとも混合器と発振器とはシリコン・ゲルマニウム技術で形成されるとともに集積回路化された請求項５に記載の広帯域チューナ。
【発明の詳細な説明】
【０００１】
【発明の属する技術分野】
本発明は、２つの異なる周波数帯域の信号を受信する広帯域チューナに関するものである。
【０００２】
【従来の技術】
以下、従来のチューナについて説明する。従来のチューナは図４に示すように、高周波デジタル信号が入力される入力端子１と、この入力端子１に接続されたＬバンドの高周波増幅器２と、この高周波増幅器２の出力に接続されたＬバンドの周波数を通過させるバンドパスフィルタ３と、このバンドパスフィルタ３の出力が一方の入力に接続されるとともに他方の入力には固定の周波数を発振する局部発振器４の出力が接続された混合器５と、この混合器５の出力が接続されたＶバンドの周波数を通過させるバンドパスフィルタ６と、このバンドパスフィルタ６の出力が一方の端子７ａに接続された電子的な切替えスイッチ７と、前記入力端子１に接続されたＶバンドの高周波増幅器８と、この周波数増幅器８の出力に接続されたＶバンドの周波数を通過させるバンドパスフィルタ９と、このバンドパスフィルタ９の出力と前記切替えスイッチ７の他方の端子７ｂとの間に接続されたチューニングフィルタ１０と、前記切替えスイッチ７の共通端子７ｃが一方の入力に接続されるとともに他方の入力には局部発振器１１の出力が接続された混合器１２と、この混合器１２の出力が接続された３９ＭＨｚのバンドパスフィルタ１３と、このバンドパスフィルタ１３の出力が接続された出力端子１４と、局部発振器１１にループ接続されたＰＬＬ回路１５と、このＰＬＬ回路１５にデータを供給するデータ端子１６とで構成されていた。また、ＰＬＬ回路１５の出力はチューニングフィルタ１０のチューニング端子にも供給されていた。
【０００３】
以上のように構成された広帯域チューナについて、以下にその動作を説明する。
【０００４】
切替えスイッチ７がＬバンドを受信すべく７ａ側に切替えられたとすると、入力端子１から入力されたＬバンドの高周波信号はバンドパスフィルタ３を通過して混合器５で局部発振器４の出力と混合されてＶバンドの周波数に変換される。この信号はバンドパスフィルタ６を通過した後、混合器１２で局部発振器１１の出力と混合されて選局されるとともに３９ＭＨｚの中間周波数に変換される。この中間周波数は、３９ＭＨｚの中心周波数を有するバンドパスフィルタ１３を経て出力端子１４から出力される。ここで、局部発振器１１の発振周波数はデータ端子１６に与えられたデータにより、ＰＬＬ回路１５で制御される。即ち、データ端子１６に与えられるデータによって選局されることになる。
【０００５】
また、切替えスイッチ７がＶバンドを受信すべく７ｂ側に切替えられたとすると、入力端子１から入力されたＶバンドの高周波信号はバンドパスフィルタ９を通過して妨害電波を除去するためチューニングフィルタ１０で希望波が選択される。なお、このチューニングフィルタ１０の中心周波数はＰＬＬ回路１５の出力により、中心周波数が可変し希望周波数とその近辺の周波数を通過させる。そしてこの希望周波数は、混合器１２で局部発振器１１の出力と混合されて選局されるとともに３９ＭＨｚの中間周波数に変換される。この中間周波数は、３９ＭＨｚの中心周波数を有するバンドパスフィルタ１３を経て出力端子１４から出力される。ここで、局部発振器１１の発振周波数はデータ端子１６に与えられたデータにより、ＰＬＬ回路１５で制御される。即ち、データ端子１６に与えられるデータによって選局される。
【０００６】
なお、ここで、Ｌバンド周波数とは、１．４ＧＨｚを中心として３００ＭＨｚ程度のバンド幅を有する電波を言い、Ｖバンド周波数とは、２００ＭＨｚを中心として１００ＭＨｚ程度のバンド幅を有する電波を言う。
【０００７】
【発明が解決しようとする課題】
しかしながらこのような従来の構成では、Ｖバンドの受信においては、シングルチューナとして動作するので、イメージ周波数妨害を取り除くべく、チューニングフィルタ１０が必要であった。このチューニングフイルタ１０を用いると、その調整をしなければならずその工数は大変であった。即ち、ＰＬＬ回路１５の出力が夫々別のバリキャップダイオードを有する局部発振器１１とチューニングフィルタ１０に供給されているため、ＰＬＬ回路１５からの同一の電圧で別々のダイオードによる周波数変化をインダクタンス等で長時間をかけて調整しなければならなかった。
【０００８】
本発明は、このような問題点を解決するもので、調整工数を不要とした広帯域チューナを提供することを目的としたものである。
【０００９】
【課題を解決するための手段】
この目的を達成するために本発明の広帯域チューナは、高周波デジタル信号が入力される入力端子と、この入力端子に接続されるとともにＬバンドの周波数を通過させる第１の固定フィルタと、前記入力端子に接続されるとともにＶバンドの周波数を通過させる第２の固定フィルタと、前記第１の固定フィルタの出力が一方の端子に接続されるとともに他方の端子には前記第２の固定フィルタの出力が接続された第１の切替えスイッチと、この第１の切替えスイッチの共通端子が一方の入力に供給されるとともに他方の入力には第１の局部発振器の出力が第２の切替えスイッチを介して接続された第１の混合器と、この第１の混合器の出力が供給されるとともにＬバンドの周波数を通過させる第３の固定フィルタと、この第３の固定フィルタの出力が一方の入力に供給されるとともに他方の入力には第２の局部発振器の出力が接続された第２の混合器と、この第２の混合器の出力が供給される出力端子と、前記第１の局部発振器にループ接続された第１のＰＬＬ回路と、この第１のＰＬＬ回路にデータを供給する第１のデータ端子と、前記第２の局部発振器にループ接続された第２のＰＬＬ回路と、この第２のＰＬＬ回路にデータを供給する第２のデータ端子とを備え、前記第１の切替えスイッチが前記第１の固定フィルタの出力を選択したときには、前記第２の切替えスイッチをオフにして前記第１の混合器を増幅器として動作させるとともに、前記第２のデータ端子に入力されたデータに従って前記第２の局部発振器の発振周波数を制御して前記第３の固定フィルタから出力される信号を前記第２の混合器で選局するとともに予め定められた周波数に変換し、前記第１の切替えスイッチが前記第２の固定フィルタの出力を選択したときには、前記第２の切替えスイッチをオンにして、前記第１のデータ端子に入力されたデータに従って前記第１の局部発振器の発振周波数を制御して前記第１の混合器で前記Ｖバンドの周波数をＬバンドに変換するとともに選局し、前記第３の固定フィルタからの出力を前記第２の混合器で予め定められた周波数に変換するものである。これにより、調整工数が不要となる。
【００１０】
【発明の実施の形態】
本発明の請求項１に記載の発明は、高周波デジタル信号が入力される入力端子と、この入力端子に接続されるとともにＬバンドの周波数を通過させる第１の固定フィルタと、前記入力端子に接続されるとともにＶバンドの周波数を通過させる第２の固定フィルタと、前記第１の固定フィルタの出力が一方の端子に接続されるとともに他方の端子には前記第２の固定フィルタの出力が接続された第１の切替えスイッチと、この第１の切替えスイッチの共通端子が一方の入力に供給されるとともに他方の入力には第１の局部発振器の出力が第２の切替えスイッチを介して接続された第１の混合器と、この第１の混合器の出力が供給されるとともにＬバンドの周波数を通過させる第３の固定フィルタと、この第３の固定フィルタの出力が一方の入力に供給されるとともに他方の入力には第２の局部発振器の出力が接続された第２の混合器と、この第２の混合器の出力が供給される出力端子と、前記第１の局部発振器にループ接続された第１のＰＬＬ回路と、この第１のＰＬＬ回路にデータを供給する第１のデータ端子と、前記第２の局部発振器にループ接続された第２のＰＬＬ回路と、この第２のＰＬＬ回路にデータを供給する第２のデータ端子とを備え、前記第１の切替えスイッチが前記第１の固定フィルタの出力を選択したときには、前記第２の切替えスイッチをオフにして前記第１の混合器を増幅器として動作させるとともに、前記第２のデータ端子に入力されたデータに従って前記第２の局部発振器の発振周波数を制御して前記第３の固定フィルタから出力される信号を前記第２の混合器で選局するとともに予め定められた周波数に変換し、前記第１の切替えスイッチが前記第２の固定フィルタの出力を選択したときには、前記第２の切替えスイッチをオンにして、前記第１のデータ端子に入力されたデータに従って前記第１の局部発振器の発振周波数を制御して前記第１の混合器で前記Ｖバンドの周波数をＬバンドに変換するとともに選局し、前記第３の固定フィルタからの出力を前記第２の混合器で予め定められた周波数に変換する広帯域チューナであり、Ｖバンド周波数の受信においては、第１の混合器と第２の混合器を用いたダブルスーパーの構成となっているので、チューニングフィルタを用いずともイメージ周波数の妨害を受けることはない。従って、チューニングフィルタを調整する工数は不要となる。
【００１１】
また、チューニングフィルタを実装する必要は無いので、小型化・低価格化を図ることができる。
【００１２】
更に、ＶバンドとＬバンドの両周波数帯を切替えスイッチの切替えにより簡単に受信することができる。
【００１３】
更にまた、Ｖバンド帯ではダブルスーパーにしたにもかかわらず、従来と比べて混合器の数は増加しない。
【００１４】
請求項２に記載の発明は、第１の混合器と、第１の局部発振器と、第１のＰＬＬ回路と、第２の混合器と、第２の局部発振器と、第２のＰＬＬ回路と、第１の切替えスイッチと、第２の切替えスイッチとは１つのパッケージに集積化された請求項１に記載の広帯域チューナであり、集積化することにより小型化を図ることができるとともに信頼性を向上させることができる。
【００１５】
請求項３に記載の発明は、マイクロコンピュータを設け、このマイクロコンピュータの出力を第１のデータ端子と、第２のデータ端子と、第１の切替えスイッチと、第２の切替えスイッチに接続し、前記マイクロコンピュータの入力端子から前記各部が制御される請求項１に記載の広帯域チューナであり、マイクロコンピュータで第１のＰＬＬ回路、第２のＰＬＬ回路、第１の切替えスイッチ、第２の切替えスイッチを制御するので、外部から容易に使用することができる。
【００１６】
請求項４に記載の発明は、高周波デジタル信号が入力される入力端子と、この入力端子に接続されるとともにＬバンドの周波数を通過させる第１の固定フィルタと、前記入力端子に接続されるとともにＶバンドの周波数を通過させる第２の固定フィルタと、前記第１の固定フィルタの出力が一方の端子に接続されるとともに他方の端子には前記第２の固定フィルタの出力が接続された第１の切替えスイッチと、この第１の切替えスイッチの共通端子が一方の入力に供給されるとともに他方の入力には第１の局部発振器の出力が第２の切替えスイッチを介して接続された第１の混合器と、この第１の混合器の出力が供給されるとともにＬバンドの周波数を通過させる第３の固定フィルタと、この第３の固定フィルタの出力が一方の入力に供給されるとともに他方の入力には第２の局部発振器の出力が第１の９０度位相器を介して接続された第２の混合器と、前記第３の固定フィルタの出力が一方の入力に供給されるとともに他方の入力には前記第２の局部発振器の出力が直接接続された第３の混合器と、前記第２の混合器の出力と前記第３の混合器の出力との間に接続された第２の９０度位相器と、前記第３の混合器の出力に接続された第４の固定フィルタと、この第４の固定フィルタの出力が供給される出力端子と、前記第１の局部発振器にループ接続された第１のＰＬＬ回路と、この第１のＰＬＬ回路にデータを供給する第１のデータ端子と、前記第２の局部発振器にループ接続された第２のＰＬＬ回路と、この第２のＰＬＬ回路にデータを供給する第２のデータ端子とを備え、前記第１の切替えスイッチが前記第１の固定フィルタの出力を選択したときには、前記第２の切替えスイッチをオフにして前記第１の混合器を増幅器として動作させるとともに、前記第２のデータ端子に入力されたデータに従って前記第２の局部発振器の発振周波数を制御して前記第２の混合器と前記第３の混合器で選局するとともに予め定められた周波数に変換し、前記第１の切替えスイッチが前記第２の固定フィルタの出力を選択したときには、前記第２の切替えスイッチをオンにして、前記第１のデータ端子に入力されたデータに従って前記第１の局部発振器の発振周波数を制御して前記第１の混合器で前記Ｖバンドの周波数をＬバンドに変換するとともに選局し、前記第３の固定フィルタからの出力を前記第２の混合器と前記第３の混合器で予め定められた周波数に変換する広帯域チューナであり、Ｖバンド周波数の受信においては、第１の混合器と第２の混合器及び第３の混合器を用いたダブルスーパーの構成となっているので、チューニングフィルタを用いずともイメージ周波数の妨害を受けることはない。従って、チューニングフィルタを調整する工数は不要となる。
【００１７】
また、チューニングフィルタを実装する必要は無いので、小型化・低価格化を図ることができる。
【００１８】
更に、Ｌバンド受信時においては、第３の混合器の出力に１８０度位相の異なった信号が第２の９０度位相器を介して供給されるので、イメージ妨害周波数が除去される。
【００１９】
更にまた、ＶバンドとＬバンドの両周波数帯を第１の切替えスイッチの切替えにより受信することができる。
【００２０】
請求項５に記載の発明は、高周波デジタル信号が入力される入力端子と、この入力端子に接続されるとともにＬバンドの周波数を通過させる第１の固定フィルタと、前記入力端子に接続されるとともにＶバンドの周波数を通過させる第２の固定フィルタと、前記第１の固定フィルタの出力が一方の端子に接続されるとともに他方の端子には前記第２の固定フィルタの出力が接続された第１の切替えスイッチと、この第１の切替えスイッチの共通端子が一方の入力に供給されるとともに他方の入力には第１の局部発振器の出力が第２の切替えスイッチを介して接続された第１の混合器と、この第１の混合器の出力が供給されるとともにＬバンドの周波数を通過させる第３の固定フィルタと、この第３の固定フィルタの出力が一方の入力に供給されるとともに他方の入力には第２の局部発振器の出力が第１の９０度位相器を介して接続された第２の混合器と、この第２の混合器の出力が接続された第４の固定フィルタと、この第４の固定フィルタの出力が供給される第１の出力端子と、前記第３の固定フィルタの出力が一方の入力に供給されるとともに他方の入力には前記第２の局部発振器の出力が直接接続された第３の混合器と、前記第２の混合器の出力と前記第３の混合器の出力との間に接続された第２の９０度位相器と第３の切替えスイッチの直列接続体と、前記第３の混合器の出力に接続された第５の固定フィルタと、この第５の固定フィルタの出力が接続された第２の出力端子と、前記第１の局部発振器にループ接続された第１のＰＬＬ回路と、この第１のＰＬＬ回路にデータを供給する第１のデータ端子と、前記第２の局部発振器にループ接続された第２のＰＬＬ回路と、この第２のＰＬＬ回路にデータを供給する第２のデータ端子とを備え、前記第３の切替えスイッチをオフする第１の動作モードと、前記第３の切替えスイッチをオンする第２の動作モードとを有し、前記第１の切替えスイッチが前記第１の固定フィルタの出力を選択したときには、前記第２の切替えスイッチをオフにして前記第１の混合器を増幅器として動作させるとともに、前記第２のデータ端子に入力されたデータに従って前記第２の局部発振器の発振周波数を制御して前記第３の固定フィルタから出力される信号を前記第２の混合器と前記第３の混合器で選局するとともに予め定められた周波数に変換し、前記第１の切替えスイッチが前記第２の固定フィルタの出力を選択したときには、前記第２の切替えスイッチをオンにして、前記第１のデータ端子に入力されたデータに従って前記第１の局部発振器の発振周波数を制御して前記第１の混合器で前記Ｖバンドの周波数をＬバンドに変換するとともに選局し、前記第２の混合器と前記第３の混合器で予め定められた周波数に変換させる広帯域チューナであり、Ｖバンド周波数の受信においては、第１の混合器と第２の混合器及び第３の混合器を用いたダブルスーパーの構成となっているので、チューニングフィルタを用いずともイメージ周波数の妨害を受けることはない。従って、チューニングフィルタを調整する工数は不要となる。
【００２１】
また、チューニングフィルタを実装する必要は無いので、小型化・低価格化を図ることができる。
【００２２】
更に、Ｌバンド受信時においては、第３の混合器の出力に１８０度位相の異なった信号が第２の９０度位相器を介して供給されるので、イメージ妨害周波数が除去される。
【００２３】
更にまた、ＶバンドとＬバンドの両周波数帯を第１の切替えスイッチの切替えにより受信することができる。
【００２４】
また、第３の切替えスイッチで第１の動作モードにすることにより、第２の混合器の出力と第４の固定フィルタとを直接接続するとともに第３の混合器の出力と第５の固定フィルタとが直接接続されるので、ＩＱ検波チューナとなる。
【００２５】
また、前記第３の切替えスイッチで第２の動作モードにすることにより、第２の混合器の出力が第２の９０度位相器を介して第３の混合器の出力と合成されて第２の出力端子から出力されるので、第２の９０度位相器により、第３の混合器から出力されるイメージ妨害波が除去され、第２の出力端子からはイメージ妨害周波数が除去されたＩＦ出力チューナが実現できる。従って、一つのチューナで２種類のチューナが実現でき、生産工程の合理化、製品管理の合理化ができる。
【００２６】
請求項６に記載の発明は、第４の固定フィルタと第５の固定フィルタとをローパスフィルタで形成するとともに、前記第５の固定フィルタと選択的に切替え可能なバンドパスフィルタを設け、第１の動作モードにおいては前記第５の固定フィルタを選択し、第２の動作モードにおいては前記バンドパスフィルタを選択する請求項５に記載の広帯域チューナであり、フィルタを夫々のチューナに適合したものに設定できるので、性能の良いチューナが得られる。
【００２７】
請求項７に記載の発明は、第１の動作モードと第２の動作モードとは、ジャンパー抵抗の装着で切替える請求項５に記載の広帯域チューナであり、生産時において２種類のうち、どちらのチューナかを決定できるので、後から設定する必要はない。また、部品数も少なくなるので、寿命信頼性が向上するとともに低価格化に寄与できる。
【００２８】
請求項８に記載の発明は、少なくとも混合器と発振器とは平衡回路で形成されるとともに集積回路化された請求項５に記載の広帯域チューナであり、平衡回路を用いているので、外部からのノイズに対する性能が向上する。
【００２９】
請求項９に記載の発明は、少なくとも混合器と発振器とはシリコン・ゲルマニウム技術で形成されるとともに集積回路化された請求項５に記載の広帯域チューナであり、シリコン・ゲルマニウム技術を用いて集積化しているので、低価格でかつ小型化されたチューナが実現できる。
【００３０】
以下、図面に従って本発明の実施の形態を説明する。
【００３１】
（実施の形態１）
図１は、実施の形態１における広帯域チューナのブロック図である。図１において、本実施の形態１における広帯域チューナは、高周波デジタル信号が入力される入力端子２１と、この入力端子２１に接続された高周波増幅器２２と、この高周波増幅器２２の出力に接続されるとともにＬバンドの周波数を通過させる固定のＬバンドパスフィルタ２３と、入力端子２１に接続された高周波増幅器２４と、この高周波増幅器２４の出力に接続されるとともにＶバンドの周波数を通過させる固定のＶバンドパスフィルタ２５と、固定フィルタ２３の出力が一方の端子２６ａに接続されるとともに他方の端子２６ｂにはＶバンドパスフィルタ２５の出力が接続された切替えスイッチ２６と、この切替えスイッチ２６の共通端子２６ｃが一方の入力に供給されるとともに他方の入力には局部発振器２７の出力が切替えスイッチ２８を介して接続された混合器２９と、この混合器２９の出力が接続されるとともにＬバンドの周波数を通過させる固定のＬバンドパスフィルタ３０と、このＬバンドパスフィルタ３０の出力が一方の入力に供給されるとともに他方の入力には局部発振器３１の出力が接続された混合器３２と、この混合器３２の出力が接続された中心周波数３９ＭＨｚのバンドパスフィルタと、このバンドパスフィルタの出力が接続された出力端子３３と、局部発振器２７にループ接続されたＰＬＬ回路３４と、このＰＬＬ回路３４にデータを供給するデータ端子３５と、局部発振器３１にループ接続されたＰＬＬ回路３６と、このＰＬＬ回路３６にデータを供給するデータ端子３７とで構成されている。
【００３２】
ここで、Ｌバンドパスフィルタ２３は中心周波数が１．４ＧＨｚでバンド幅６００ＭＨｚのバンドパスフィルタを使用しているが、これは１．１ＧＨｚ以上を通過させるハイパスフィルタでも良い。
【００３３】
Ｖバンドパスフィルタ２５は中心周波数が２００ＭＨｚでバンド幅１００ＭＨｚのバンドパスフィルタを使用しているが、これは３００ＭＨｚ以下を通過させるローパスフィルタでも良い。
【００３４】
Ｌバンドパスフィルタ３０は中心周波数が１．４ＧＨｚでバンド幅６００ＭＨｚのバンドパスフィルタである。
【００３５】
切替えスイッチ２６と２８はピンダイオード等で構成された電子的に切替え可能な周知のスイッチである。
【００３６】
３８はマイクロコンピュータであり、その出力３９はデータ端子３５とデータ端子３７に接続されている。また、切替えスイッチ２６と２８の切替え制御端子にも接続されている。４０はマイクロコンピュータ３８に接続された入力端子である。
【００３７】
以上のように構成された広帯域チューナについて、以下にその動作を説明する。
【００３８】
切替えスイッチ２６がＬバンドを受信すべく２６ａ側に切替えられたときは、切替えスイッチ２８がオフとなり、混合器２９はＬバンドの信号を増幅する増幅器として働く。即ち、入力端子２１から入力されたＬバンドの高周波信号はＬバンドパスフィルタ２３と切替えスイッチ２６を通過したのち、混合器２９で増幅されて１．４ＧＨｚの固定フィルタ３０を通過する。この信号は混合器３２で局部発振器３１の出力と混合されて選局されるとともに３９ＭＨｚの中間周波数に変換される。この中間周波数は出力端子３３から出力される。ここで、局部発振器３１の発振周波数はデータ端子３７に与えられたデータにより、ＰＬＬ回路３６で制御される。即ち、データ端子３７に与えられるデータによって選局される。
【００３９】
次に、切替えスイッチ２６がＶバンドを受信すべく２６ｂ側に切替えられたときは、切替えスイッチ２８がオンとなる。即ち、入力端子２１から入力されたＶバンドの高周波信号はＶバンドパスフィルタ２５と切替えスイッチ２６を通過したのち、混合器２９で局部発振器２７の出力と混合されて選局されるとともに１．４ＧＨｚの中間周波数に変換される。
【００４０】
この中間周波数は、１．４ＧＨｚの中心周波数を有する固定フィルタ３０を経て、混合器３２で３９ＭＨｚに変換されて出力端子３３から出力される。ここで、局部発振器２７の発振周波数はデータ端子３５に与えられたデータにより、ＰＬＬ回路３４で制御される。即ち、データ端子３５に与えられるデータによって選局される。
【００４１】
以上のように本実施の形態によれば、Ｖバンド周波数の受信においては、混合器２９と混合器３２を用いたダブルスーパーの構成となっているので、従来のようにチューニングフィルタ１０を用いずともイメージ周波数の妨害を受けることはない。従って、チューニングフィルタ１０を調整する工数は不要となる。
【００４２】
また、チューニングフィルタ１０を実装する必要は無いので、小型化・低価格化を図ることができる。
【００４３】
更に、ＶバンドとＬバンドの両周波数帯を切替えスイッチ２６と２８の切替えにより受信することができる。
【００４４】
更にまた、ダブルスーパー構成にしたにもかかわらず、従来と比べて混合器の数は増加していない。
【００４５】
なお、混合器２９と、局部発振器２７と、ＰＬＬ回路３４と、混合器３２と、局部発振器３１と、ＰＬＬ回路３６と、切替えスイッチ２６と、スイッチ２８とは１つのパッケージに集積化することも可能であり、このように集積化することにより小型化を図ることができるとともに信頼性を向上させることができる。
【００４６】
更に、マイクロコンピュータ３８でＰＬＬ回路３４、ＰＬＬ回路３６、切替えスイッチ２６、切替えスイッチ２８を制御すれば、外部から入力端子４０に入力するデータを変えることにより、これらの制御を容易に行うことができる。
【００４７】
（実施の形態２）
実施の形態２においては、実施の形態１の混合器３２の代わりに、２個の混合器と２個の９０度位相器を用いてイメージ妨害を除去する広帯域チューナである。
【００４８】
図２において、本実施の形態２における広帯域チューナは、高周波デジタル信号が入力される入力端子４１と、この入力端子４１に接続された高周波増幅器４２と、この高周波増幅器４２の出力に接続されるとともにＬバンドの周波数を通過させる固定フィルタ４３と、入力端子４１に接続された高周波増幅器４４と、この高周波増幅器４４の出力に接続されるとともにＶバンドの周波数を通過させる固定フィルタ４５と、固定フィルタ４３の出力が一方の端子４６ａに接続されるとともに他方の端子４６ｂには固定フィルタ４５の出力が接続された切替えスイッチ４６と、この切替えスイッチ４６の共通端子４６ｃが接続されたＡＧＣ増幅器４７と、このＡＧＣ増幅器４７の出力が一方の入力に供給されるとともに他方の入力には局部発振器４８の出力が切替えスイッチ４９を介して接続された混合器５０と、この混合器５０の出力が接続されるとともにＬバンドの周波数を通過させる固定フィルタ５１と、この固定フィルタ５１の出力が接続されたＡＧＣ増幅器５２と、このＡＧＣ増幅器５２の出力が一方の入力に供給されるとともに他方の入力には局部発振器５３の出力が９０度位相器５４を介して接続された混合器５５と、ＡＧＣ増幅器５２の出力が一方の入力に供給されるとともに他方の入力には局部発振器５３の出力が直接接続された混合器５６と、混合器５５の出力と混合器５６の出力との間に接続された９０度位相器５７と、混合器５６の出力に接続された固定フィルタ５８と、この固定フィルタ５８の出力が接続されたＡＧＣ増幅器５９と、このＡＧＣ増幅器５９の出力が接続された出力端子６０と、局部発振器４８にループ接続されたＰＬＬ回路６１と、このＰＬＬ回路６１にデータを供給するデータ端子６２と、局部発振器５３にループ接続されたＰＬＬ回路６３と、このＰＬＬ回路６３にデータを供給するデータ端子６４とで構成されている。
【００４９】
以上のように構成された広帯域チューナにおいて、以下にその動作を説明する。実施の形態２において実施の形態１と異なるところは、以下に示すところである。即ち、固定フィルタ５１の出力に接続されたＡＧＣ増幅器５２の出力の一方は混合器５６を介して出力され、他方は混合器５５を介して出力されるが、この出力は２個の９０度位相器５４と５７により、位相が１８０度異なることになる。このことにより、妨害波が除去されるところである。その他に関しては実施の形態１と同様である。
【００５０】
即ち、切替えスイッチ４６が固定フィルタ４３の出力を選択したときには、切替えスイッチ４９をオフにして混合器５０を増幅器として動作させる。そして、データ端子６４に入力されたデータに従って局部発振器５３の発振周波数を制御して固定フィルタ５１から出力される信号を混合器５６と混合器５５で選局するとともに予め定められた周波数に変換して、固定フィルタ５８を介して出力端子６０から出力される。
【００５１】
また、切替えスイッチ４６が固定フィルタ４５の出力を選択したときには、切替えスイッチ４９をオンにして、データ端子６２に入力されたデータに従って局部発振器４８の発振周波数を制御して混合器５０でＶバンドの周波数をＬバンドに変換するとともに選局し、固定フィルタ５１からの出力を混合器５５と混合器５６で予め定められた周波数に変換して、固定フィルタ５８を介して出力端子６０から出力される。
【００５２】
このように、Ｖバンド周波数の受信においては、混合器５０と混合器５５及び混合器５６を用いたダブルスーパーの構成となっているので、チューニングフィルタを用いずともイメージ周波数の妨害を受けることはない。従って、チューニングフィルタを調整する工数は不要となる。
【００５３】
また、チューニングフィルタを実装する必要は無いので、小型化・低価格化を図ることができる。
【００５４】
更に、Ｌバンド受信時においては、混合器５６の出力に１８０度位相の異なった信号が２個の９０度位相器を介して接続されるので、イメージ妨害周波数が除去される。
【００５５】
更にまた、ＶバンドとＬバンドの両周波数帯を切替えスイッチ４６と４９の切替えにより受信することができる。
【００５６】
ここで、固定フィルタ４３は中心周波数が１．４ＧＨｚでバンド幅６００ＭＨｚのバンドパスフィルタを使用しているが、これは１．１ＧＨｚ以上を通過させるハイパスフィルタでも良い。
【００５７】
固定フィルタ４５は中心周波数が２００ＭＨｚでバンド幅１００ＭＨｚのバンドパスフィルタを使用しているが、これは３００ＭＨｚ以下を通過させるローパスフィルタでも良い。
【００５８】
固定フィルタ５１は中心周波数が１．４ＧＨｚでバンド幅６００ＭＨｚのバンドパスフィルタである。
【００５９】
固定フィルタ５８は中心周波数が３９ＭＨｚでバンド幅６ＭＨｚのバンドパスフィルタである。
【００６０】
切替えスイッチ４６と４９はピンダイオード等で構成された電子的に切替え可能な周知のスイッチである。
【００６１】
６５はＡＧＣ制御電圧の入力端子であり、ＡＧＣ増幅回路４７と５２と５９に接続されて外部から制御される。
【００６２】
（実施の形態３）
実施の形態３においては、実施の形態１の混合器３２の代わりに、２個の混合器と２個の９０度位相器を用いてイメージ妨害を除去するＩＦ出力のチューナと、２個の混合器を用いてＩＱ検波できるチューナとの切替え可能な広帯域チューナである。
【００６３】
図３において、本実施の形態３における広帯域チューナは、高周波デジタル信号が入力される入力端子７１と、この入力端子７１に接続された高周波増幅器７２と、この高周波増幅器７２の出力に接続されるとともにＬバンドの周波数を通過させる固定フィルタ７３と、入力端子７１に接続された高周波増幅器７４と、この高周波増幅器７４の出力に接続されるとともにＶバンドの周波数を通過させる固定フィルタ７５と、固定フィルタ７３の出力が一方の端子７６ａに接続されるとともに他方の端子７６ｂには固定フィルタ７５の出力が接続された切替えスイッチ７６と、この切替えスイッチ７６の共通端子７６ｃが接続されたＡＧＣ増幅器７７と、このＡＧＣ増幅器７７の出力が一方の入力に接続されるとともに他方の入力には局部発振器７８の出力が切替えスイッチ７９を介して接続された混合器８０と、この混合器８０の出力が接続されるとともにＬバンドの周波数を通過させる固定フィルタ８１と、この固定フィルタ８１の出力が接続されたＡＧＣ増幅器８２と、このＡＧＣ増幅器８２の出力が一方の入力に接続されるとともに他方の入力には局部発振器８３の出力が９０度位相器８４を介して接続された混合器８５と、この混合器８５の出力が接続されたローパスフィルタ８６と、このローパスフィルタ８６の出力が接続されたＡＧＣ増幅器８７と、このＡＧＣ増幅器８７の出力が接続された出力端子８９と、ＡＧＣ増幅器８２の出力が一方の入力に接続されるとともに他方の入力には局部発振器８３の出力が直接接続された混合器９０と、混合器８５の出力と混合器９０の出力との間に接続された９０度位相器９１と切替えスイッチ９２の直列接続体と、混合器９０の出力に共通端子９３ｃが接続された切替えスイッチ９３と、この切替えスイッチ９３の一方の端子９３ａが接続されたローパスフィルタ９４と、このローパスフィルタ９４の出力が接続されたＡＧＣ増幅器９５と、このＡＧＣ増幅器９５の出力が接続された出力端子９６と、切替えスイッチ９３の他方の端子９３ｂとローパスフィルタ９４との間に接続されたバンドパスフィルタ９７と、局部発振器７８にループ接続されたＰＬＬ回路９８と、このＰＬＬ回路９８にデータを供給するデータ端子９９と、局部発振器８３にループ接続されたＰＬＬ回路１００と、このＰＬＬ回路１００にデータを供給するデータ端子１０１とを備えた構成と成っている。
【００６４】
次に、切替えスイッチ９２と９３の関係について述べる。この関係は、切替えスイッチ９２をオフするとともに切替えスイッチ９３を一方の端子９３ａ側、即ちローパスフィルタ９４側へ切替える第１の動作モードと、切替えスイッチ９２をオンするとともに切替えスイッチ９３を他方の端子９３ｂ側、即ちバンドパスフィルタ９７側へ切替える第２の動作モードとを有している。
【００６５】
１０２はＡＧＣ増幅器７７と８２と８７と９５の利得を外部から制御する制御端子である。
【００６６】
ここで切替えスイッチ９２と９３はピンダイオードで電子的に切替えられるように構成されており、これらは連動して動作する。即ち、第１の動作モードでは、切替えスイッチ９２はオフ、切替えスイッチ９３は一方の端子９３ａ側であるローパスフィルタ９４側に接続される。従って、本実施の形態におけるチューナは、ＩＱ検波チューナとして働き、出力端子８９からはＩ信号が出力され、出力端子９６からはＱ信号が出力される。
【００６７】
また、第２の動作モードでは、切替えスイッチ９２はオフとなり、切替えスイッチ９３は他方の端子９３ｂ側であるバンドパスフィルタ９７側となる。従って、本実施の形態におけるチューナは、ＩＦ信号出力チューナとして働き、出力端子９６からはＩＦ信号が出力される。
【００６８】
９０度位相器８４，９１は９０度位相が遅れる位相器である。従って、ＩＦチューナでは、９０度位相器８４，９１を直列に通過するので、混合器８５の出力は結局１８０度遅れて混合器９０の出力と合成される。従って、妨害信号は除去されることになる。
【００６９】
そして、ＩＱ検波チューナでは、出力端子８９と９６からベースバンド信号が出力される。また、ＩＦ出力チューナでは、出力端子９６から略４００ＭＨｚのＩＦ信号が出力される。
【００７０】
また、実施の形態３では、入力端子７１に入力される信号は略５０ＭＨｚから８６０ＭＨｚの地上波信号としたが、略９５０ＭＨｚから２．２ＧＨｚのデジタル衛星放送信号であっても良い。このとき、バンドパスフィルタ８１の中心周波数は夫々の帯域を通過させ、不要な帯域を除去するものである。また、混合器８０の出力は１．４ＧＨｚ又は１．２ＧＨｚの中間周波数に設定されている。従って、バンドパスフィルタ８１も上記周波数を通過させるものである。
【００７１】
ローパスフィルタ８６と９４のカットオフ周波数は略５０ＭＨｚであり、バンドパスフィルタ９７の中心周波数は略４００ＭＨｚ、バンド幅は略３０ＭＨｚである。
【００７２】
また、本実施の形態における回路は、平衡回路で形成されているので、ノイズ妨害に強いチューナが得られる。
【００７３】
また、２種類のチューナに使用できるので、これらの回路を集積化することにより量産効果による低価格化が図れる。また、集積化により小型化が実現できる。
【００７４】
また、切替えスイッチ９２と９３を工程での製造時において、ジャンパー抵抗の装着の違いにより切替えても良い。この場合、夫々ＩＦ出力チューナかＩＱ検波チューナか予め固定できるので、後から切り替える必要はない。
【００７５】
なお、実施の形態１，２，３において少なくとも混合器と局部発振器は平衡回路で構成するとともに集積化することにより、耐ノイズ性能が向上する。また、シリコン・ゲルマニウム技術を混合器と局部発振器に用いて集積化することにより、低価格のチューナが提供できる。
【００７６】
【発明の効果】
以上のように本発明によれば、Ｖバンド周波数の受信においては、第１の混合器と第２の混合器を用いたダブルスーパーの構成となっているので、チューニングフィルタを用いずともイメージ周波数の妨害を受けることはない。従って、チューニングフィルタを調整する工数は不要となる。
【００７７】
また、チューニングフィルタを実装する必要は無いので、小型化・低価格化を図ることができる。
【００７８】
更に、ＶバンドとＬバンドの両周波数帯を切替えスイッチの切替えにより受信することができる。
【００７９】
更にまた、ダブルスーパーにしたにもかかわらず、従来と比べて混合器の数は増加しない。
【図面の簡単な説明】
【図１】本発明の実施の形態１における広帯域チューナのブロック図
【図２】同、実施の形態２における広帯域チューナのブロック図
【図３】同、実施の形態３における広帯域チューナのブロック図
【図４】従来の広帯域チューナのブロック図
【符号の説明】
２１  入力端子
２３  Ｌバンドパスフィルタ
２５  Ｖバンドパスフィルタ
２６  切替えスイッチ
２７  局部発振器
２８  切替えスイッチ
２９  混合器
３０  Ｌバンドパスフィルタ
３１  局部発振器
３２  混合器
３３  出力端子
３４  ＰＬＬ回路
３５  データ端子
３６  ＰＬＬ回路
３７  データ端子
【図１】
0003882524.tif 000002
【図２】
0003882524.tif 000003
【図３】
0003882524.tif 000004
【図４】
0003882524.tif 000005